(57)【要約】      （修正有）【課題】財布の中身、さらには個人情報等を他人に知られるのを防止することができる財布を提供する。【解決手段】全体側面方形状に形成され、内側に設けられた間仕切部により複数に区画された硬貨収納部１２と、硬貨収納部の厚さ方向の一方の側面側に設けられた紙幣収納部１３と、硬貨収納部の厚さ方向の他方の側面側に設けられたカード収納部１４とを備えた財布本体１５を有し、財布本体の上縁部及び一方側面部に亘って単一の連続する開口部１８が形成され、開口部には開口部を開閉するファスナー部材１９が設けられている。【選択図】図３
0003234228.tif 000002
【実用新案登録請求の範囲】
【請求項１】
全体側面方形状に形成され、内側に設けられた間仕切部により複数に区画された硬貨収納部と、前記硬貨収納部の厚さ方向の一方の側面側に設けられた紙幣収納部と、前記硬貨収納部の厚さ方向の他方の側面側に設けられたカード収納部とを備えた財布本体を有し、
前記財布本体の上縁部及び一方側面部に亘って単一の連続する開口部が形成され、前記開口部には前記開口部を開閉するファスナー部材が設けられていることを特徴とする財布。
【請求項２】
前記財布本体は、側面長方形状に形成されていることを特徴とする請求項１記載の財布。
【請求項３】
前記硬貨収納部は、前記財布本体の長さ方向に沿うと共に、厚さ方向中央部に設けられ、前記間仕切部は、長さ方向の中央に設けられていることを特徴とする請求項２記載の財布。
【請求項４】
前記硬貨収納部と前記紙幣収納部との間に、第２のカード収納部を備えていることを特徴とする請求項１乃至３のいずれか１項に記載の財布。
【請求項５】
前記カード収納部の外側側面側に、ポケット部を備えていることを特徴とする請求項１乃至４のいずれか１項に記載の財布。
【考案の詳細な説明】
【技術分野】
【０００１】
本考案は、財布に係り、特に、全体側面方形状に形成された財布に関する。
【背景技術】
【０００２】
特許文献１には、「全体側面方形状に形成され、内側に設けられた間仕切部により複数に区画された硬貨収納部と、前記硬貨収納部の厚さ方向の一方の側面側に設けられた紙幣収納部と、前記硬貨収納部の厚さ方向の他方の側面側に設けられたカード収納部とを備えた財布本体を有し、前記財布本体には、前記硬貨収納部の開口部、前記紙幣収納部の開口部、及び前記カード収納部の開口部を開閉可能な単一の開閉手段が設けられており、前記硬貨収納部を複数に区画する前記間仕切部のうち、中央に設けられた間仕切部に前記財布本体の開閉時に伸縮して収納、開閉されうるように折曲部が形成されていることを特徴とする財布。」が記載されている。
【０００３】
しかし、特許文献１の技術は、側面長方形状の財布本体の長さ方向両端部及び上端部に亘る全体逆コ字状の開口部を採用しているため、ファスナー開放時に、財布本体が開ききってしまい、外方から財布内部が大きく露見してしまう可能性がある。
【先行技術文献】
【特許文献】
【０００４】
【特許文献１】実用新案登録第３２１８８４６号公報
【考案の概要】
【考案が解決しようとする課題】
【０００５】
そこで、本考案の課題は、財布の中身、さらには個人情報等を他人に知られるのを防止することができる財布を提供することにある。
【課題を解決するための手段】
【０００６】
上記課題達成のため、請求項１記載の考案にあっては、全体側面方形状に形成され、内側に設けられた間仕切部により複数に区画された硬貨収納部と、前記硬貨収納部の厚さ方向の一方の側面側に設けられた紙幣収納部と、前記硬貨収納部の厚さ方向の他方の側面側に設けられたカード収納部とを備えた財布本体を有し、前記財布本体の上縁部及び一方側面部に亘って単一の連続する開口部が形成され、前記開口部には前記開口部を開閉するファスナー部材が設けられていることを特徴とする。
従って、請求項１記載の財布にあっては、硬貨収納部が財布本体の内方に設けられており、紙幣収納部及びカード収納部により包み込まれる。
また、硬貨収納部が複数に区画されているので、硬貨を複数種類別に仕分けることができる。
また、硬貨収納部を複数に区画する間仕切部のうち、中央に設けられた間仕切部に財布本体の開閉時に伸縮して収納、開閉されうるように折曲部が形成されている。
一方、財布本体の上縁部及び一方側面部に亘って単一の連続する開口部が側方Ｌ字状に形成され、ファスナー部材により開閉可能に形成されている。
【０００７】
請求項２記載の考案にあっては、前記財布本体は、側面長方形状に形成されていることを特徴とする。
従って、請求項２記載の財布にあっては、財布本体の硬貨収納部、紙幣収納部、及びカード収納部の容量を大きくすることができる。
【０００８】
請求項３記載の考案にあっては、前記硬貨収納部は、前記財布本体の長さ方向に沿うと共に、厚さ方向中央部に設けられ、前記間仕切部は、長さ方向の中央に設けられていることを特徴とする。
従って、請求項３記載の財布にあっては、硬貨収納部の区画された各収納部をいずれも容量を大きくすることができる。
【０００９】
請求項４記載の考案にあっては、前記硬貨収納部と前記紙幣収納部との間に、第２のカード収納部を備えていることを特徴とする。
従って、請求項４記載の財布にあっては、カード収納部に加えて、第２のカード収納部を備えるため、より多くのカード類を収納することができる。
【００１０】
請求項５記載の考案にあっては、前記カード収納部の外側側面側に、ポケット部を備えていることを特徴とする。
従って、請求項５記載の財布にあっては、ポケット部に、デパート券等の金券やクーポン、買い物メモ、レシート、領収書等を収納することができる。
【考案の効果】
【００１１】
請求項１記載の考案にあっては、全体側面方形状に形成され、内側に設けられた間仕切部により複数に区画された硬貨収納部と、前記硬貨収納部の厚さ方向の一方の側面側に設けられた紙幣収納部と、前記硬貨収納部の厚さ方向の他方の側面側に設けられたカード収納部とを備えた財布本体を有し、前記財布本体の上縁部及び一方側面部に亘って単一の連続する開口部が形成され、前記開口部には前記開口部を開閉するファスナー部材が設けられていることを特徴とする。
従って、請求項１記載の財布においては、硬貨収納部が財布本体の内方に設けられており、紙幣収納部及びカード収納部により包み込まれることから、硬貨収納部が外方へ突出することがなく、硬貨を収納した場合であっても、携帯しやすい財布を提供することができる。
また、硬貨収納部が複数に区画されているので、硬貨を複数種類別に仕分けることができ、硬貨の支払いを迅速に行えるのは勿論、硬貨収納部の開口部、紙幣収納部の開口部、及びカード収納部の開口部を開閉可能な単一の開閉手段が設けられていることから、より簡易な構成とすることができるので、より迅速に硬貨を取り出せ、製造コストも低減することができる。
また、硬貨収納部を複数に区画する間仕切部のうち、中央に設けられた間仕切部に財布本体の開閉時に伸縮して収納、開閉されうるように折曲部が形成されているため、財布本体をスムーズに開閉することができるので、使い勝手もよい。
【００１２】
一方、財布本体の上縁部及び一方側面部に亘って単一の連続する開口部が側方Ｌ字状に形成され、ファスナー部材により開閉可能に形成されていることから、硬貨収納部の開口部、紙幣収納部の開口部、及びカード収納部の開口部は、硬貨収納部、紙幣収納部及びカード収納部の同一端部が封止されているので、財布の開口幅をある程度の幅に制限することができる。
従って、硬貨収納部に収納した硬貨の種類や数、紙幣収納部に収納した紙幣の種類や数、さらにはカード収納部に収納したカードの種類や数の外部への露見を制限することができる。結果として、財布の中身、さらには個人情報等を他人に知られるのを防止することができる。
【００１３】
請求項２記載の考案にあっては、前記財布本体は、側面長方形状に形成されていることを特徴とする。
従って、請求項２記載の財布においては、財布本体の硬貨収納部、紙幣収納部、及びカード収納部の容量を大きくすることができるので、硬貨収納部では、より多くの硬貨を収納することができ、紙幣収納部では、紙幣を折り畳まずに簡易に収納することができ、カード収納部では、より多くのカード類を収納することができ、便利である。
【００１４】
請求項３記載の考案にあっては、前記硬貨収納部は、前記財布本体の長さ方向に沿うと共に、厚さ方向中央部に設けられ、前記間仕切部は、長さ方向の中央に設けられていることを特徴とする。
従って、請求項３記載の財布においては、硬貨収納部の区画された各収納部をいずれも容量を大きくすることができるので、いずれの種類の硬貨も多く収納することができる。
【００１５】
請求項４記載の考案にあっては、前記硬貨収納部と前記紙幣収納部との間に、第２のカード収納部を備えていることを特徴とする。
従って、請求項４記載の財布においては、カード収納部に加えて、第２のカード収納部を備えるため、より多くのカード類を収納することができるので、多くのカード類を使用しなければならない今のカード社会に対応することができる。
【００１６】
請求項５記載の考案にあっては、前記カード収納部の外側側面側に、ポケット部を備えていることを特徴とする。
従って、請求項５記載の財布にあっては、ポケット部に、デパート券等の金券やクーポン、買い物メモ、レシート、領収書等を収納することができるので、これらの様々な用紙をすぐに出し入れでき、更に便利である。
【図面の簡単な説明】
【００１７】
【図１】本考案に係る財布の一実施の形態を示す正面図である。
【図２】本考案に係る財布の一実施の形態を示す背面図である。
【図３】本考案に係る財布の一実施の形態における第１の開放状態を示す斜視図である。
【図４】本考案に係る財布の一実施の形態における第２の開放状態を示す斜視図である。
【図５】本考案に係る財布の一実施の形態における第３の開放状態を示す斜視図である。
【図６】本考案に係る財布の一実施の形態における使用方法を示す斜視図である。
【考案を実施するための形態】
【００１８】
以下、本考案に係る一実施の形態について、図面を参照しながら説明する。なお、各図面においては、理解を容易にするために、部材の形状や寸法を誇張して図示したり一部の部材を省略したりして図示している箇所もある。
図１〜図３に示すように、本実施の形態に係る財布１０は、全体側面方形状に形成され、内側に設けられた間仕切部１１（図３参照）により複数に区画された硬貨収納部１２（図３参照）と、硬貨収納部１２の厚さ方向の一方の側面側に設けられた紙幣収納部１３（図３参照）と、硬貨収納部１２の厚さ方向の他方の側面側に設けられた第１のカード収納部１４（図３参照）とを備えた財布本体１５を有し、財布本体１５の上縁部１６及び一方側面部１７に亘って単一の連続する開口部１８（図３参照）が形成され、開口部１８には開口部１８を開閉するファスナー部材１９が設けられている。第１のカード収納部１４は、６個の収納空間を備えており、６枚分のカードを収納可能である。
【００１９】
従って、本実施の形態に係る財布１０にあっては、硬貨収納部１２が財布本体１５の内方に設けられており、紙幣収納部１３及び第１のカード収納部１４により包み込まれる。
また、硬貨収納部１２が間仕切部１１により複数に区画されているので、硬貨を複数種類別に仕分けることができる。
また、硬貨収納部１２を形成する間仕切部１１のうち、中央に設けられた間仕切部１１に財布本体１５の開閉時に伸縮して収納、開閉されうるように折曲部１１ａが形成されている。
一方、財布本体１５の上縁部１６及び一方側面部１７に亘って単一の連続する開口部１８が側方Ｌ字状（逆Ｌ字状）に形成され、ファスナー部材１９により開閉可能に形成されている。
【００２０】
財布本体１５は、側面長方形状に形成されている。従って、本実施の形態に係る財布１０にあっては、財布本体１５の硬貨収納部１２、紙幣収納部１３、及び第１のカード収納部１４の容量を大きくすることができる。
【００２１】
硬貨収納部１２は、財布本体１５の長さ方向に沿うと共に、厚さ方向中央部に設けられ、間仕切部１１（特に折曲部１１ａ）は、長さ方向の中央に設けられている。従って、本実施の形態に係る財布１０にあっては、硬貨収納部１２の区画された各収納部をいずれも容量を大きくすることができる。
【００２２】
本実施の形態に係る財布１０は、硬貨収納部１２と紙幣収納部１３との間に、第２のカード収納部２０を備えている。第２のカード収納部２０は、６個の収納空間を備えており、６枚分のカードを収納可能である。従って、本実施の形態に係る財布１０にあっては、第１のカード収納部１４に加えて、第２のカード収納部２０を備えるため、より多くのカード類を収納することができる。
【００２３】
本実施の形態に係る財布１０は、第１のカード収納部１４の外側側面側に、ポケット部２１（用紙収納部）を備えている。従って、本実施の形態に係る財布１０にあっては、ポケット部２１に、デパート券等の金券やクーポン、買い物メモ、レシート、領収書等を収納することができる。
【００２４】
図２に示すように、本実施の形態に係る財布１０は、背面側に背面収納部２２を備えている。背面収納部２２の開口部２３には開口部２３を開閉する第２のファスナー部材２４が設けられている。背面収納部２２には、紙幣や硬貨、カード、その他の紙媒体等を収納することができる。
【００２５】
図４に示すように、硬貨収納部１２を形成する間仕切部１１は、第１のカード収納部１４の方に寄せて配置することができ、図５に示すように、間仕切部１１（硬貨収納部１２）は、第２のカード収納部２０の方に寄せて配置することもできる。
【００２６】
次に、本実施の形態に係る財布１０の使用方法について説明する。
まず、図１に示す財布１０を用意する。
ついで、ファスナー部材１９を用いて、財布１０を開け、図６に示す状態とする。
【００２７】
図６に示す状態において、左側の硬貨収納部１２には、５００円硬貨、１００円硬貨、５０円硬貨等の高額硬貨３０を収納することができる。また、右側の硬貨収納部１２には、１０円硬貨、５円硬貨、１円硬貨等の少額硬貨３１を収納することができる。なお、左側の硬貨収納部１２や右側の硬貨収納部１２には、このような仕分け方に限定されることなく、使用者の好みに応じた仕分け方で硬貨を収納することができる。
【００２８】
紙幣収納部１３には、１万円札、５千円札、千円札等の紙幣３２を収納することができる。第１のカード収納部１４には、キャッシュカード等の第１のカード３３を収納することができる。
【００２９】
第２のカード収納部２０には、ポイントカード等の第２のカード３４を収納することができる。ポケット部２１には、デパート券等の金券やクーポン、買い物メモ、レシート、領収書等の紙媒体３５を収納することができる。
最後に、ファスナー部材１９を用いて、財布１０を閉じ、図１に示す状態とする。
【００３０】
以上説明したように、本実施の形態に係る財布１０にあっては、硬貨収納部１２が財布本体１５の内方に設けられており、紙幣収納部１３及び第１のカード収納部１４により包み込まれることから、硬貨収納部１２が外方へ突出することがなく、硬貨を収納した場合であっても、携帯しやすい財布１０を提供することができる。
また、硬貨収納部１２が複数に区画されているので、硬貨を収納する場合には、複数種類別、大きさ別に仕分けて収納することができ、その結果、硬貨の支払い時には硬貨を迅速に分別した状態で取り出すことができ、迅速な硬貨の支払いを行うことができる。
また、硬貨収納部１２の開口部、紙幣収納部１３の開口部、及び第１のカード収納部１４の開口部を開閉可能な単一の開閉手段（ファスナー部材１９）が設けられていることから、より簡易な構成とすることができるので、より迅速に硬貨を取り出せ、製造コストも低減することができる。
また、硬貨収納部１２を複数に区画する間仕切部１１のうち、中央に設けられた間仕切部１１に財布本体１５の開閉時に伸縮して収納、開閉されうるように折曲部１１ａが形成されているため、財布本体１５をスムーズに開閉することができるので、使い勝手もよい。
【００３１】
一方、財布本体１５の上縁部１６及び一方側面部１７に亘って単一の連続する開口部１８が側方Ｌ字状に形成され、ファスナー部材１９により開閉可能に形成されていることから、硬貨収納部１２の開口部、紙幣収納部１３の開口部、及び第１のカード収納部１４の開口部は、硬貨収納部１２、紙幣収納部１３及び第１のカード収納部１４の同一端部が封止されているので、財布１０の開口幅をある程度の幅に制限することができる。
したがって、硬貨収納部１２に収納した硬貨の種類や数、紙幣収納部１３に収納した紙幣の種類や数、さらには第１のカード収納部１４に収納したカードの種類や数の外部への露見を制限することができる。結果として、財布１０の中身、さらには個人情報等を他人に知られるのを防止することができる。
【００３２】
また、本実施の形態に係る財布１０にあっては、財布本体１５の硬貨収納部１２、紙幣収納部１３、及び第１のカード収納部１４の容量を大きくすることができるので、硬貨収納部１２では、より多くの硬貨を収納することができ、紙幣収納部１３では、紙幣を折り畳まずに簡易に収納することができ、第１のカード収納部１４では、より多くのカード類を収納することができ、便利である。
【００３３】
さらに、本実施の形態に係る財布１０にあっては、硬貨収納部１２の区画された各収納部をいずれも容量を大きくすることができるので、いずれの種類の硬貨も多く収納することができる。
【００３４】
さらにまた、本実施の形態に係る財布１０にあっては、第１のカード収納部１４に加えて、第２のカード収納部２０を備えるため、より多くのカード類を収納することができるので、多くのカード類を使用しなければならない今のカード社会に対応することができる。
【００３５】
その上、本実施の形態に係る財布１０にあっては、ポケット部２１に、デパート券等の金券やクーポン、買い物メモ、レシート、領収書等を収納することができるので、これらの様々な用紙をすぐに出し入れでき、更に便利である。
【００３６】
上述した実施の形態にあっては、以下の変形が可能である。
（１）ポケット部２１には、紙幣を収納してもよい。
（２）財布１０は、側面正方形状であってもよい。
（３）財布１０は、ポケット部２１又は第２のカード収納部２０を備えていなくてもよい。
【産業上の利用可能性】
【００３７】
本考案は財布に係ることから、広く産業上の利用可能性を有している。
【符号の説明】
【００３８】
１０    財布
１１    間仕切部
１１ａ  折曲部
１２    硬貨収納部
１３    紙幣収納部
１４    第１のカード収納部
１５    財布本体
１６    上縁部
１７    一方側面部
１８    開口部
１９    ファスナー部材
２０    第２のカード収納部
２１    ポケット部
２２    背面収納部
２３    開口部
２４    第２のファスナー部材
３０    高額硬貨
３１    少額硬貨
３２    紙幣
３３    第１のカード
３４    第２のカード
３５    紙媒体
【図１】
0003234228.tif 000003
【図２】
0003234228.tif 000004
【図３】
0003234228.tif 000005
【図４】
0003234228.tif 000006
【図５】
0003234228.tif 000007
【図６】
0003234228.tif 000008